(57)【要約】【課題】使い勝手を向上させることができる採尿容器を提供することを目的とする。【解決手段】洋風大便器のボウル部に向けて被験者が排泄する尿の少なくとも一部を採取する採尿容器であって、前記ボウル部上に配置される尿捕集部と、前記尿捕集部の底面に設けられ、前記被験者の尿の少なくとも一部を貯留する尿貯留部と、前記尿捕集部の底面に設けられ、前記被験者の尿のうち前記尿貯留部に貯留された尿以外の尿の一部を前記尿捕集部の外部に排出する尿漏出部と、を備え、前記洋風大便器に設置された状態において、前記尿漏出部は、上方から見たときに前記ボウル部の中央部に位置することを特徴とする採尿容器が提供される。【選択図】図１
2018036242.tif 000002
【特許請求の範囲】
【請求項１】
洋風大便器のボウル部に向けて被験者が排泄する尿の少なくとも一部を採取する採尿容器であって、
前記ボウル部上に配置される尿捕集部と、
前記尿捕集部の底面に設けられ、前記被験者の尿の少なくとも一部を貯留する尿貯留部と、
前記尿捕集部の底面に設けられ、前記被験者の尿のうち前記尿貯留部に貯留された尿以外の尿の一部を前記尿捕集部の外部に排出する尿漏出部と、
を備え、
前記洋風大便器に設置された状態において、前記尿漏出部は、上方から見たときに前記ボウル部の中央部に位置することを特徴とする採尿容器。
【請求項２】
前記尿漏出部は、上方から見たときに前記尿漏出部と前記ボウル部内の水とが重なる範囲において、前記ボウル部内の便器洗浄中の最高水位よりも上方に配置されることを特徴とする請求項１記載の採尿容器。
【請求項３】
前記尿捕集部は、前記ボウル部の前方部に配置され、
前記尿漏出部は、前記尿貯留部よりも後方に配置されることを特徴とする請求項１または２に記載の採尿容器。
【請求項４】
前記尿漏出部は、開口を有し、
前記開口は、上方から視認可能であることを特徴とする請求項１〜３のいずれか１つに記載の採尿容器。
【請求項５】
前記尿貯留部は、前記尿貯留部の底面と、前記尿漏出部と、の間に設けられた窪み部を有することを特徴とする請求項１〜４のいずれか１つに記載の採尿容器。
【請求項６】
前記尿捕集部は、略透明であり、
前記尿漏出部の漏出状態は、上方から視認可能であることを特徴とする請求項１〜５のいずれか１つに記載の採尿容器。
【発明の詳細な説明】
【技術分野】
【０００１】
本発明の態様は、一般的に、採尿容器に関する。
【背景技術】
【０００２】
泌尿器関係の診断等においては、被験者が排泄する尿の情報が用いられる。例えば、尿に含まれる成分（例えば、糖、タンパク質など）や、その成分の濃度などが分析される。また、尿流量などの排尿情報が測定される。
【０００３】
特許文献１には、洋風大便器に取り付けられる尿採取装置が開示されている。この尿採取装置は、被験者の尿を捕集する尿捕集部と、捕集された尿のうち所定量を貯留する尿貯留部と、尿を尿捕集部の外部に漏出させる尿漏出部と、を有する。この尿採取装置を用いれば、尿流量測定と同時に尿貯留部に尿を貯留し、貯留した所定量の尿の成分分析等に供することができる。
【０００４】
特許文献１に記載の尿採取装置を用いる場合、通常、被験者は、尿貯留部に溜まった尿を別の容器に移して尿（尿検体）を採取した後に、便器洗浄を実施する。しかし、被験者は、手順を誤って、尿の採取の前に便器洗浄を実施してしまうことがある。この場合、尿貯留部に溜まった尿に、尿漏出部から便器を洗浄するための水が混じってしまい、正確な成分分析を行うことができないことがあった。このため、被験者の動作手順に関わらず、尿（尿検体）を採取できる使い勝手の良い採尿容器が望まれる。
【先行技術文献】
【特許文献】
【０００５】
【特許文献１】特開２０１１−２７７３３号公報
【発明の概要】
【発明が解決しようとする課題】
【０００６】
本発明は、かかる課題の認識に基づいてなされたものであり、使い勝手を向上させることができる採尿容器を提供することを目的とする。
【課題を解決するための手段】
【０００７】
第１の発明は、洋風大便器のボウル部に向けて被験者が排泄する尿の少なくとも一部を採取する採尿容器であって、前記ボウル部上に配置される尿捕集部と、前記尿捕集部の底面に設けられ、前記被験者の尿の少なくとも一部を貯留する尿貯留部と、前記尿捕集部の底面に設けられ、前記被験者の尿のうち前記尿貯留部に貯留された尿以外の尿の一部を前記尿捕集部の外部に排出する尿漏出部と、を備え、前記洋風大便器に設置された状態において、前記尿漏出部は、上方から見たときに前記ボウル部の中央部に位置することを特徴とする採尿容器である。
【０００８】
この採尿容器によれば、ボウル部の中央部に尿漏出部が位置することにより、便器洗浄が行われても尿貯留部に水が侵入することを防げる。これにより、尿の採取と便器洗浄操作の手順に制約が無くなり、使い勝手を向上させることができる。
【０００９】
第２の発明は、第１の発明において、前記尿漏出部は、上方から見たときに前記尿漏出部と前記ボウル部内の水とが重なる範囲において、前記ボウル部内の便器洗浄中の最高水位よりも上方に配置されることを特徴とする採尿容器である。
【００１０】
この採尿容器によれば、便器を洗浄する水が尿貯留部に侵入することを、より確実に防げる。
【００１１】
第３の発明は、第１または第２の発明において、前記尿捕集部は、前記ボウル部の前方部に配置され、前記尿漏出部は、前記尿貯留部よりも後方に配置されることを特徴とする採尿容器である。
【００１２】
この採尿容器によれば、尿捕集部がボウル部の前方部に配置される場合において、尿漏出部をボウル部の中央部に配置し易い。これにより、尿貯留部に水が侵入することを防げる。
【００１３】
第４の発明は、第１〜第３のいずれか１つの発明において、前記尿漏出部は、開口を有し、前記開口は、上方から視認可能であることを特徴とする採尿容器である。
【００１４】
この採尿容器によれば、尿貯留部に溜まった尿を尿漏出部から容器に分取する際に、上方から開口を介して容器の位置を確認することができる。したがって、使い勝手をより向上させることができる。
【００１５】
第５の発明は、第１〜第４のいずれか１つの発明において、前記尿貯留部は、前記尿貯留部の底面と、前記尿漏出部と、の間に設けられた窪み部を有することを特徴とする採尿容器である。
【００１６】
この採尿容器によれば、尿貯留部に溜まった尿を尿漏出部から容器に分取する際に、容器を窪み部に接触させることにより、容器の位置を安定させることができる。したがって、使い勝手をより向上させることができる。
【００１７】
第６の発明は、第１〜第５のいずれか１つの発明において、前記尿捕集部は、略透明であり、前記尿漏出部の漏出状態は、上方から視認可能であることを特徴とする採尿容器である。
【００１８】
この採尿容器によれば、被験者が尿貯留部にたまった尿を尿漏出部から容器に分取する際に、尿をこぼしてしまうことが無く、尿検体に要求される各種生体情報測定を支障なく実現するための尿量を確保できる。  
また、尿がこぼれてしまうと、こぼれた尿は、床に落下したり、医療関係者の手を汚したりする。尿は、感染症につながる恐れのあるウィルスを含むこともある。これに対して、実施形態によれば、予期しない院内感染の恐れを抑制できる。
【発明の効果】
【００１９】
本発明の態様によれば、使い勝手を向上させることができる採尿容器が提供される。
【図面の簡単な説明】
【００２０】
【図１】実施形態に係る採尿容器が設置されたトイレ装置を例示する斜視図である。
【図２】実施形態に係る採尿容器を例示する斜視図である。
【図３】実施形態に係る採尿容器を例示する断面図である。
【図４】実施形態に係る採尿容器を例示する平面図である。
【図５】実施形態に係る採尿容器が便器に設置された状態を例示する断面図である。
【図６】実施形態に係る採尿容器が便器に設置された状態を例示する平面図である。
【図７】図７（ａ）及び図７（ｂ）は、実施形態に係る採尿容器を例示する断面図である。
【図８】実施形態に係る採尿容器の一部を例示する平面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る採尿容器が設置されたトイレ装置を例示する斜視図である。  図１に示したトイレ装置は、洋風大便器（洋式腰掛便器、以下では単に「便器」と称することがある）８００を有する。便器８００の上には、ケーシング４００と便座２００とが設けられている。便座２００は、ケーシング４００に対して開閉自在に軸支されている。図１は、便座２００が開いた状態を示す。
【００２２】
ここで、本願明細書においては、便座２００に座った使用者からみて上方を「上方」とし、便座２００に座った使用者からみて下方を「下方」とする。また、便座２００に座った使用者からみて前方を「前方」とし、便座２００に座った使用者からみて後方を「後方」とする。便座２００に座った使用者からみて右側を「右側方」とし、便座２００に座った使用者からみて左側を「左側方」とする。
【００２３】
便器８００は、ボウル部８０１とリム８０２とを有する。リム８０２は、ボウル部８０１の上端に設けられている。
【００２４】
実施形態に係る採尿容器１００は、例えばボウル状の容器である。採尿容器１００は、採尿の際には、図１に示すように便器８００に設置される。
【００２５】
被験者は、採尿容器１００が設置されたボウル部８０１の上から便座２００を閉じ、便座２００に座った状態で採尿容器１００（及びボウル部８０１）に向けて尿を排泄する。または、被験者は、立った状態で採尿容器１００が設置されたボウル部８０１に向けて尿を排泄してもよい。採尿容器１００は、ボウル部８０１に向けて排泄された尿の少なくとも一部を採取（分取）する。
【００２６】
図２は、実施形態に係る採尿容器を例示する斜視図である。  
図３は、実施形態に係る採尿容器を例示する断面図である。  
図４は、実施形態に係る採尿容器を例示する平面図である。  
図３は、図２に示したＣ１−Ｃ１線における断面を示している。  
図４は、図２に示した採尿容器１００を上方から眺めた様子を示している。
【００２７】
図２〜図４に示したように、採尿容器１００は、尿捕集部１０と、尿貯留部２０と、尿漏出部３０と、を有する。
【００２８】
尿捕集部１０は、例えばボウル状である。尿捕集部１０は、第１の立面１１と、第２の立面１２と、底面１３と、有する。  
第１の立面１１は、底面１３の前方及び側方から上方に向かって延びる面である。第１の立面１１は、尿捕集部１０の前方及び側方を囲む。第１の立面１１は、例えば、便器８００のボウル部８０１の内面に沿って湾曲している。また、第１の立面１１は、後端において第２の立面１２と接続されている。  
第２の立面１２は、底面１３の後方から上方に向かって延びる面である。
【００２９】
図３に示したように、尿貯留部２０は、底面１３に設けられる。尿貯留部２０は、例えば、底面１３から連続して形成された凹部である。
【００３０】
尿漏出部３０は、底面１３において、尿貯留部２０の上端に設けられている。尿漏出部３０は、開口３０ｅを有する。開口３０ｅは、尿貯留部２０と尿捕集部１０（底面１３）との間に設けられる。開口３０ｅは、例えば、尿貯留部２０と尿捕集部１０との境界の一部に位置している。
【００３１】
底面１３には、尿貯留部２０へ向かう下り傾斜が設けられている。例えば、図３に示した矢印Ａ１のように、底面１３のうち尿貯留部２０よりも後方の部分は、前方に向かう下り傾斜を有する。また、図３に示した矢印Ａ２のように、底面１３のうち尿貯留部２０よりも前方の部分は、後方に向かう下り傾斜を有する。また、例えば、図４に示した矢印Ａ３及び矢印Ａ４のように、底面１３には、尿捕集部１０の左右方向の中心に向かう下り傾斜が設けられている。
【００３２】
例えば、図４に示したように、採尿容器１００は、取付部４１と、把持部４３と、を有する。取付部４１は、直接的（又は間接的）に便器８００と接触し、採尿容器１００を支持する。
【００３３】
この例では、取付部４１は、採尿時に便器８００のリム８０２の上に載置される。取付部４１は、第１の立面１１の上端から水平方向に延びる鍔状である。取付部４１を、爪状や鉤状にしてもよい。被験者が便座２００に座るときには、取付部４１は、リム８０２と便座２００との間に挟まれる。
【００３４】
取付部４１には、孔４１ｅが設けられている。例えば、採尿容器１００の洗浄した時には、孔４１ｅを用いて採尿容器１００を吊すことができる。
【００３５】
把持部４３は、取付部４１から水平方向において外側に延びた部分である。採尿容器１００が便器８００に設置された状態において、把持部４３は、便器８００のリム８０２よりも外側に延在している。被験者等が把持部４３を掴むことで、採尿容器１００を便器８００に設置することや、採尿容器１００を便器８００から取り外すことが容易となる。
【００３６】
採尿容器１００の材料には、例えば、ポリカーボネートやポリプロピレンなどの樹脂が用いられる。ポリカーボネートを用いた場合、採尿容器１００の耐熱性を向上させることができ、熱消毒を行うことができる。ポリプロピレンを用いた場合、採尿容器１００の耐薬品性を向上させることができ、アルコール消毒や次亜塩素酸ナトリウム消毒などを行うことができる。医療機関では対象としている疾病によって、採尿容器に対する清掃仕様としてどのような洗浄方法が一般的であるかが異なるが、殺菌能力に主眼をおいた熱消毒と、取り扱いに主眼をおいた薬剤による消毒と、を選択できる。  
また、例えば、上述した尿捕集部１０、尿貯留部２０、尿漏出部３０、取付部４１及び把持部４３は、一体に成形されている。
【００３７】
図５は、実施形態に係る採尿容器が便器に設置された状態を例示する断面図である。    図６は、実施形態に係る採尿容器が便器に設置された状態を例示する平面図である。  
図５は、図６に示すＣ２−Ｃ２線における採尿容器１００及び便器８００の断面を示す。  
図６は、図５に示した採尿容器１００及び便器８００の一部を上方から眺めた様子を示す。図６においては、便器８００のリム８０２を一点鎖線で表している。
【００３８】
図５に示したように、便器８００は、ボウル部８０１の下方に接続されたトラップ部９００を有する。トラップ部９００は、図示しない排水管に接続される。また、ボウル部８０１の内部には、水８０１ｗ（封水）が設けられている。すなわち、トイレの非使用時において所定量の水がボウル部８０１内に溜められている。これにより、排泄物などが流れる排水管から臭気などが逆流することを防ぐことができる。
【００３９】
例えば、図５に示したように、尿捕集部１０は、取付部４１によって支持され、ボウル部８０１上に配置される。ここで、「尿捕集部１０がボウル部８０１上に配置される」とは、図５のように、尿捕集部１０の少なくとも一部がリム８０２よりも下方に位置し、ボウル部８０１内に配置されている状態も含むものとする。
【００４０】
このような設置状態において、被験者は、採尿容器１００に向けて尿を排泄する。これにより、尿は尿捕集部１０によって捕集される。そして、尿貯留部２０は、捕集された尿の少なくとも一部を貯留する。尿貯留部２０に所定量を超える尿が流れ込むと、尿貯留部２０に貯留された尿以外の尿は、尿漏出部３０の開口３０ｅによって外部（ボウル部８０１）に排出される。このようにして、所定量の尿を採取することができる。
【００４１】
図６に示したように、採尿容器１００の尿漏出部３０（開口３０ｅ）は、上方から見たときに、ボウル部８０１の中央部に位置する。  
尿漏出部３０は、ボウル部８０１の中心Ｃ８０１（又は水８０１ｗの中心ＣＷ）に近いことが好ましい。尿漏出部３０がボウル部８０１の中央部に位置する状態は、例えば、尿漏出部３０の中心Ｃ３０が、尿貯留部２０の中心Ｃ２０に比べて、ボウル部８０１の中心Ｃ８０１に近い状態である。なお、「中心」とは、鉛直上方から見たときの平面形状における重心をいうものとする。
【００４２】
換言すれば、中心Ｃ３０と中心Ｃ８０１との間の距離は、中心Ｃ２０と中心Ｃ８０１との間の距離よりも短い。また、図６の例では、中心Ｃ３０と中心ＣＷとの間の距離は、中心Ｃ２０と中心ＣＷとの間の距離よりも短い。
【００４３】
また、例えば、尿漏出部３０がボウル部８０１の中央部に位置する状態においては、便器非洗浄時に上方から見たときに、尿漏出部３０の少なくとも一部が、水８０１ｗの一部と重なる。  
このように、実施形態においては、採尿容器１００が便器８００に設置された状態において、尿漏出部３０をボウル部８０１の中央に寄せて配置している。
【００４４】
被験者は、尿を排泄した後、尿貯留部２０に溜まった尿をスピッツなどの容器に移し、採取する。これにより、採取された尿（尿検体）の成分分析等を行うことができる。
【００４５】
通常、被験者は、尿を容器に移した後、便器洗浄を実施する。すなわち、便器８００に水（洗浄水）を流して、水と共に尿を排水管へ流す。しかし、被験者がこの手順を誤ってしまうことがある。つまり、被験者は、尿をスピッツなどの容器に移す前に、採尿容器１００が便器８００に設置されたままの状態で、便器洗浄を実施してしまうことがある。便器８００に水が流れると、尿漏出部の開口から水が尿貯留部へ浸入し、尿貯留部に溜まった尿に水が混じってしまうことがある。このような場合には、正しい分析結果を得ることができない。
【００４６】
便器洗浄において、水は、ボウル部８０１の内面に沿って流れる。そこで、実施形態に係る採尿容器１００においては、尿漏出部３０をボウル部８０１の中央部に設けてボウル部８０１の内面から遠ざけている。これにより、被験者が手順を誤っても、尿貯留部２０へ水が侵入することを防げる。尿の採取と便器洗浄操作の手順に制約が無くなり、使い勝手を向上させることができる。
【００４７】
また、便器洗浄において、便器８００内の水位は一時的に高くなる。例えば、図５に示したように、非洗浄時の水位ＷＬ１に比べて、便器洗浄中における水位（水位ＷＬ２、ＷＬ３）は、高い。  
実施形態においては、上下方向（鉛直方向）において尿漏出部３０とボウル部８０１内の水とが重なる範囲Ｒ１において、ボウル部８０１内の便器洗浄中の最高水位（水位ＷＬ２）よりも上方に尿漏出部３０を配置するようにする。これにより、便器洗浄中に、尿貯留部２０へ水が侵入することを防げる。
【００４８】
便器洗浄の水は、ボウル部８０１とリム８０２との境界付近に設けられた吐水口から吐出される。この吐水口は、鉛直下方よりも上向き（例えば水平方向）に、水を噴出するように設けられている場合がある。これにより、便器洗浄の水は、ボウル部８０１内を旋回し、旋回流を形成する。すなわち、便器洗浄の水は、ボウル部８０１の中央部を中心として渦を巻くように流される場合がある。この場合、渦の中心付近の水位（例えば水位ＷＬ２）は、渦の外側の水位（例えば水位ＷＬ３）よりも低くなる。実施形態に係る採尿容器１００のように、尿漏出部３０をボウル部８０１の中央部に設けることにより、尿漏出部３０を水位が低い渦の中心に近づけることができる。したがって、便器洗浄の水が旋回流である場合には、尿漏出部３０をボウル部８０１の中央部に設けることにより、便器洗浄中の最高水位よりも上方に尿漏出部３０を配置しやすくなり、尿貯留部２０への水の侵入をより確実に防ぐことができる。
【００４９】
また、図６に示したように、尿捕集部１０は、ボウル部８０１の前方部の上に配置される。すなわち、尿捕集部１０は、ボウル部８０１の前方を覆い、ボウル部８０１の後方を覆わない。これにより、ボウル部８０１の後方が塞がれないため、被験者の大便は、採尿容器１００に遮られず、ボウル部８０１内へ落下できる。このような採尿容器１００において、尿漏出部３０は、尿貯留部２０よりも後方に位置する。これにより、尿漏出部３０をボウル部８０１の中央部に配置し易くなる。尿漏出部３０をボウル部８０１の中央部に近づけることができ、尿貯留部２０へ水が侵入することを防げる。但し、実施形態においては、尿漏出部３０は、尿貯留部２０の前方又は側方に位置してもよい。
【００５０】
尿捕集部１０の深さＤ１（図５参照）は、例えば、９５ミリメートル（ｍｍ）程度である。尿捕集部１０が深すぎると、尿貯留部２０及び尿漏出部３０の位置が低くなり、尿貯留部２０へ水が侵入しやすくなる。一方、尿捕集部１０が浅すぎると、男性の被験者から排泄された尿が尿捕集部１０で跳ね、被験者に掛かる恐れがある。この観点からは、尿捕集部１０は出来るだけ深い方が好ましい。
【００５１】
実施形態に係る採尿容器１００においては、尿漏出部３０を水位が低いボウル部８０１の中央部に配置することにより、尿貯留部２０の位置を低くすることができるため、尿捕集部１０の深さを確保することができる。
【００５２】
また、男性の被験者が便座２００に座って尿を排泄する場合、尿は尿捕集部１０の前方部に排出される。このため、尿捕集部１０の前方部の深さを確保することが望まれる。一方、尿捕集部１０の後方部は、前方部よりも浅くてもよい。すなわち、図５に示した深さＤ２は、深さＤ１より浅くてもよい。尿捕集部１０の前方部の深さを確保しつつ、尿捕集部１０の後方部を浅くすることで、尿漏出部３０をボウル部内の水位よりも上方に配置しやすい。
【００５３】
図７（ａ）及び図７（ｂ）は、実施形態に係る採尿容器を例示する断面図である。  
図７（ａ）は、尿貯留部２０に溜まった尿Ｕｓを容器Ｓｐｚに移す様子を表している。図７（ｂ）は、図７（ａ）に示した尿漏出部３０付近を拡大して示す。
【００５４】
容器Ｓｐｚは、例えば、スピッツと呼ばれる先が尖った円筒状の容器である。容器Ｓｐｚの径Ｄｍ（外径）は、例えば、１０ｍｍ以上２０ｍｍ以下である。この例では、容器Ｓｐｚの径Ｄｍは、１２ｍｍである。この容器Ｓｐｚの口を尿漏出部３０の開口３０ｅに当てて、尿Ｕｓを容器Ｓｐｚ内に流す。これにより、尿検体を得ることができる。
【００５５】
図７（ｂ）に示すように、尿貯留部２０は、窪み部２５を有する。窪み部２５は、尿貯留部２０の底面２３と、尿漏出部３０の開口３０ｅと、の間の側面に設けられている。
【００５６】
窪み部２５は、開口３０ｅの近傍に位置する。窪み部２５の中央から開口３０ｅまでの距離Ｌ１は、例えば、容器Ｓｐｚの径Ｄｍより短く、径Ｄｍの半分程度である。また、窪み部２５の中央から底面１３までの距離Ｌ２は、容器Ｓｐｚの径Ｄｍ程度である。  
窪み部２５の幅Ｗ２５は、例えば、２ｍｍ程度である。窪み部２５の深さＤ２５は、例えば、３ｍｍ程度である。
【００５７】
このような窪み部２５を設けることにより、図７（ｂ）に示す点Ｐ１及び点Ｐ２の２点で、容器Ｓｐｚと採尿容器１００とを接触させることができる。このときの接触角θ１（図７（ａ）参照）は、４２°程度である。窪み部２５に容器Ｓｐｚの口を引っ掛けるようにすることで、容器Ｓｐｚの位置を安定させることができる。これにより、安定して尿を容器Ｓｐｚに移すことができる。
【００５８】
図８は、実施形態に係る採尿容器の一部を例示する平面図である。  
この図は、尿貯留部２０及び尿漏出部３０を上方から見た拡大図である。  
図８に示したように、尿漏出部３０（開口３０ｅ）の平面形状は、後方に向かって尖った略Ｖ字状ある。すなわち、上方から見たときに、開口３０ｅは、前後方向と交差する方向へ延びる第１の開口部３１ｅ及び第２の開口部３２ｅを有する。第１の開口部３１ｅ及び第２の開口部３２ｅは、頂点３３において交わる。
【００５９】
頂点３３は、尿捕集部１０の左右方向における中央に位置する。また、窪み部２５は、頂点３３の前方に位置し、第１の開口部３１ｅ及び第２の開口部３２ｅに挟まれている。このように開口３０ｅを略Ｖ字状とすることで、尿貯留部２０内の尿を容器Ｓｐｚへ取りこぼし無く移すことができる。
【００６０】
また、図８に示したように、開口３０ｅは、上方（真上）から視認可能である。このため、開口３０ｅを介して上方から採尿容器１００の下方が見える。これにより、被験者は、図７（ａ）のように容器Ｓｐｚを配置するときに、上方から容器Ｓｐｚの位置を確認することができる。採尿容器１００を下方から覗き込まなくても、容器Ｓｐｚを所定の位置に配置しやすい。
【００６１】
採尿容器１００は、便器８００に接続された排尿情報測定装置３００（図１及び図５参照）と共に用いることができる。排尿情報測定装置３００は、例えば、ボウル部８０１内の水位を測定する水位センサ３０１を有する。被験者が排尿を行うと、尿は、尿漏出部３０からボウル部８０１内へ流れ、ボウル部８０１内の水位が変化する。
【００６２】
排尿情報測定装置３００は、この水位の変化から、被験者の尿量（ミリリットル：ｍＬ）、排尿時間（秒）、最大尿流率（ｍＬ／秒）、平均尿流率（ｍＬ／秒）、最大尿流率到達時間（秒）などの排尿情報を算出する。排尿時間とは、尿の排出が開始されてから、尿の排出が終了するまでの時間である。尿流率は、単位時間当たりの尿量、すなわち排尿速度である。最大尿流率は、尿流率の最大値である。平均尿流率は、尿流率の平均値である。最大尿流率到達時間とは、排尿が開始されてから、尿流率が最大値になるまでの時間である。
【００６３】
なお、実施形態において、排尿情報の測定方法は、ボウル部８０１内の水位の変化に基づく方法には限られず、任意である。例えば、封水（尿を含む）の重量の変化に基づいて排尿情報を測定してもよい。
【００６４】
排尿情報測定装置３００と採尿容器１００とを共に用いることで、尿の採取と同時に排尿情報を測定することができる。必要とされる尿検体の所定量は、単独なのか精密検査までを想定するか、また検体測定装置の測定検体量基準によって変化する。一般的とされる検体必要量は１０ｍＬ、二次的な精密検査を行うことも考えて２回分が妥当である。この場合、尿貯留部２０が貯留可能な尿の所定量（水平な状態で貯留可能な最大量）は、１０ｍＬ以上４０ｍＬ以下が望ましく、例えば３２ｍＬ程度である。尿貯留部２０が貯留可能な尿の所定量が少なすぎると、成分分析等に必要な量の尿が採取できない。一方、尿貯留部２０が貯留可能な尿の所定量が多すぎると、尿漏出部３０からボウル部８０１へ尿が流れにくいため、ボウル部８０１内の水位の時間的変化が小さくなり、排尿情報の測定精度が低下する。
【００６５】
また、実施形態に係る採尿容器１００においては、尿貯留部２０及び尿漏出部３０が底面１３に設けられており、底面１３には尿貯留部２０へ向かう下り傾斜が設けられている。これにより、尿を速やかに尿漏出部３０からボウル部８０１内へ流すことができる。したがって、排尿情報の測定精度を維持することができる。
【００６６】
また、例えば、尿捕集部１０は、略透明である。これにより被験者は、尿貯留部２０に貯留された尿を容器Ｓｐｚに移す際に、上方から尿漏出部３０における尿の漏出状態を視認できる。被験者は、尿漏出部３０からの尿の流れを確認しながら尿の分取を行うことができるため、尿をこぼしてしまうことが無く、尿検体に要求される各種生体情報測定を支障なく実現するための尿量を確保できる。  
また、尿がこぼれてしまうと、こぼれた尿は、床に落下したり、医療関係者の手を汚したりする。尿は、感染症につながる恐れのあるウィルスを含むこともある。これに対して、実施形態によれば、予期しない院内感染の恐れを抑制できる。
【００６７】
また、尿捕集部１０、尿貯留部２０及び尿漏出部３０の少なくとも一部を略透明とすることにより、尿漏出部３０からの尿の漏出状態を視認可能としてもよい。例えば、採尿容器１００の略全体が略透明であってもよい。
【００６８】
採尿容器１００のうち略透明な部分は、無色透明に近いことが好ましいが、完全に透明でなくてもよく、使用者が上方から尿漏出部３０における漏出状態を視認できる程度の光透過性を有すればよい。例えば、略透明な部分の可視光に対する透過率は、反射率又は吸収率よりも高い。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、尿捕集部、尿貯留部、尿漏出部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１０ 尿捕集部、  １１ 第１の立面、  １２ 第２の立面、  １３ 底面、  ２０ 尿貯留部、  ２３ 底面、  ２５ 窪み部、  ３０ 尿漏出部、  ３０ｅ 開口、  ３１ｅ 第１の開口部、  ３２ｅ 第２の開口部、  ３３ 頂点、  ４１ 取付部、  ４１ｅ 孔、  ４３ 把持部、  θ１ 接触角、  １００ 採尿容器、  ２００ 便座、  ３００ 排尿情報測定装置、  ３０１ 水位センサ、  ４００ ケーシング、  ８００ 便器、  ８０１ ボウル部、  ８０１ｗ 水、  ８０２ リム、  ９００ トラップ部、  Ｃ２０、Ｃ３０、Ｃ８０１、ＣＷ 中心、  Ｄ１、Ｄ２  深さ、  Ｄ２５ 深さ、  Ｌ１、Ｌ２ 距離、  Ｐ１、Ｐ２ 点、  Ｒ１ 範囲、  Ｓｐｚ 容器、  Ｕｓ 尿、  Ｗ２５ 幅、  ＷＬ１〜ＷＬ３ 水位
【図１】
2018036242.tif 000003
【図２】
2018036242.tif 000004
【図３】
2018036242.tif 000005
【図４】
2018036242.tif 000006
【図５】
2018036242.tif 000007
【図６】
2018036242.tif 000008
【図７】
2018036242.tif 000009
【図８】
2018036242.tif 000010